(57)【要約】【課題】ウェビングの長さ調整装置の操作をより簡単にし、把持しやすくて力が入りやすく、且つ丈夫なケースを持つ、ウェビングの長さ調整装置を提供する。【解決手段】ウェビングの長さ調整装置であって、ハウジングケースと、調整ユニットと、弾性部材とを備え、該調整ユニットは、該ハウジングケース内に移動可能に設置されると共に、相対的に移動可能な操作部材及び摺動部材を含み、該操作部材における、該ハウジングケースの上方にある領域に横向き押圧板部が設けられ、該弾性部が、該操作部材を復位させる。【選択図】図１
2020147277.tif 000002
【特許請求の範囲】
【請求項１】
ウェビングの長さ調整装置であって、該ウェビングの長さ調整装置は、ハウジングケースと、調整ユニットと、弾性部材とを備え、
前記ハウジングケースは、ケース壁と、該ケース壁の内部に形成され、上部に開口を有する縦向き案内溝とを含み、該ケース壁における縦向き案内溝の横方向に沿って対向する両側は、第１側板と第２側板であり、該縦向き案内溝の底部には溝底板を有し、該第１側板上には、該縦向き案内溝と連通する第１連通孔が形成され、該第２側板には、該縦向き案内溝と連通する第２連通孔を有し、
前記調整ユニットは、前記ハウジングケース内に設置されると共に、操作部材と摺動部材とを含み、該操作部材は、移動可能に該ハウジングケースの縦向き案内溝内に装着され、該操作部材における縦向き案内溝に収納される区間に第１挿通孔が設けられ、該第１挿通孔の上方に第２挿通孔が設けられ、該操作部材におけるハウジングケースの上方にある領域に横向き押圧板部が設けられ、該横向き押圧板部が第２挿通孔の一側に位置し、該摺動部材は、前記操作部材の第１挿通孔に装着され、該摺動部材と操作部材は、ハウジングケースの内に装着され、且つ相対的に移動可能であり、
前記弾性部材は、前記ハウジングケースの縦向き案内溝内に設置され、且つ前記溝底板と操作部材との間に位置することを特徴とするウェビングの長さ調整装置。
【請求項２】
前記摺動部材は、摺動基板と、該摺動基板の両側端に位置する二つの摺動連結部とを含み、該摺動基板は、該操作部材の一側に位置し、該摺動部材の二つの摺動連結部はそれぞれ、前記操作部材の第１挿通孔に挿入され、該摺動部材の摺動基板は、前記ハウジングケースの第１側板の第１連通孔内に位置することを特徴とする請求項１に記載のウェビングの長さ調整装置。
【請求項３】
前記第１側板は、縦向き案内溝に面する裏側における、前記第１連通孔の両側端に対応する箇所にそれぞれ、規制溝が形成され、
前記摺動部材の摺動基板は、基板部と該基板部の両側端に上向きに突出するように形成される二つの側板部とを含み、該二つの側板部がそれぞれ、前記ハウジングケースの第１連通孔の両側端の規制溝に挿入され、該規制溝によって前記摺動部材の縦向きの移動距離を規制することを特徴とする請求項２に記載のウェビングの長さ調整装置。
【請求項４】
前記摺動部材は、薄い金属板を折り曲げて成形された外装部材を含み、該外装部材の両側端にそれぞれ、前記摺動連結部が形成され、該外装部材は、前記摺動基板の基板部の外側を囲繞するように該摺動部に固定され、前記二つの摺動連結部がそれぞれ、前記操作部材の第１挿通孔を挿通して該操作部材の一側面に延在することを特徴とする請求項３に記載のウェビングの長さ調整装置。
【請求項５】
前記二つの摺動連結部がそれぞれ、前記摺動基板の基板部の一側面に形成される突起であることを特徴とする請求項３に記載のウェビングの長さ調整装置。
【請求項６】
前記ハウジングケースの第１側板の底部に、前記横向き押圧板部と上下に対向する横凸部を有することを特徴とする請求項１から請求項５のいずれか１項に記載のウェビングの長さ調整装置。
【請求項７】
前記弾性部材は、弾性片であると共に、上向きに盛り上がった円弧状の弾性基部と該弾性基部の両側端に位置する端部とを含み、該弾性部材が、前記ハウジングケースの縦向き案内溝の内に装着され、該弾性基部の中央における盛り上がっている部分が前記操作部材の底面中央に当接し、該弾性部材の両側端の端部が前記溝底板と当接することを特徴とする請求項１から請求項５のいずれか１項に記載のウェビングの長さ調整装置。
【請求項８】
前記操作部材は、縦板部を含み、該縦板部の頂部に前記横向き押圧板部が一体成型され、且つ該横向き押圧板部は、該縦板部の頂部から横向きに曲がるように突出し、更に、該縦板部が、移動可能に前記ハウジングケースの縦向き案内溝内に設置され、前記第１挿通孔が該縦板部上に設けられ、前記第２挿通孔が、該縦板部における前記横向き押圧板部と隣接する領域に設けられることを特徴とする請求項１から請求項５のいずれか１項に記載のウェビングの長さ調整装置。
【請求項９】
前記ハウジングケースの第１側板の底部に、前記横向き押圧板部と上下に対向する横凸部を有することを特徴とする請求項８に記載のウェビングの長さ調整装置。
【請求項１０】
前記ハウジングケースの第２連通孔が、前記第２側板の頂部から縦向きに延伸することで上向きに開放状態となることを特徴とする請求項８に記載のウェビングの長さ調整装置。
【請求項１１】
前記弾性部材は、弾性片であると共に、上向きに盛り上がった円弧状の弾性基部と該弾性基部の両側端に位置する端部とを含み、該弾性部材が、前記ハウジングケースの縦向き案内溝の内に装着され、該弾性基部の中央における盛り上がっている部分が前記操作部材の底面中央に当接し、該弾性部材の両側端の端部が前記溝底板と当接することを特徴とする請求項８に記載のウェビングの長さ調整装置。
【請求項１２】
前記操作部材は、縦板部と、該縦板部の上部を覆い包むように形成される外装ケースとを含み、該縦板部の下部に第１挿通孔を有し、且つ該縦板部の下部が、移動可能に前記ハウジングケースの縦向き案内溝内に設置され、該外装ケースは、前記ハウジングケースの上方に位置し、且つ前記横向き押圧板部を有し、該縦板部の上部及び該上部を覆い包む外装ケース上に、第１挿通孔の上方に第２挿通孔が設けられることを特徴とする請求項１から請求項５のいずれか１項に記載のウェビングの長さ調整装置。
【請求項１３】
前記ハウジングケースの第１側板の底部に、前記横向き押圧板部と上下に対向する横凸部を有することを特徴とする請求項１２に記載のウェビングの長さ調整装置。
【請求項１４】
前記弾性部材は、弾性片であると共に、上向きに盛り上がった円弧状の弾性基部と該弾性基部の両側端に位置する端部とを含み、該弾性部材が、前記ハウジングケースの縦向き案内溝の内に装着され、該弾性基部の中央における盛り上がっている部分が前記操作部材の底面中央に当接し、該弾性部材の両側端の端部が前記溝底板と当接することを特徴とする請求項１２に記載のウェビングの長さ調整装置。
【発明の詳細な説明】
【技術分野】
【０００１】
本発明は、ウェビングの長さを調整する装置に関し、特にシートベルトシステム又は他の拘束機構に適用されるウェビングに対して、長さを調整する機能を具備し、且つ操作が簡単なウェビングの長さ調整装置に関するものである。
【背景技術】
【０００２】
乗り物や車椅子などの移動手段の利用者の安全を確保するため、乗り物や車椅子などの移動手段のシートには、いずれもシートベルトシステムが設置されている。従来のシートベルトシステムの構成は主に、ウェビング巻取器、ウェビング巻取器と接続するウェビング、及びウェビングと接続するように選択的に係着することができる係着装置を含み、そのうち、ウェビングの長さを、異なる使用者の体型に合わせて、使用者を確実に拘束するため、一部のシートベルトシステムにウェビングの長さ調整装置が設けられる。又、ウェビング付きの拘束機構などの製品は、、使用上の要求に応じてウェビングの長さ調整機能を持たせる必要がある場合、使用者をしっかり拘束する目的を達成するために、ウェビングの長さ調整装置も備えている。
【０００３】
従来のウェビングの長さ調整装置には、数多くの製品があり、一般的によく使用されるウェビング長さ調整装置は、以下の種類である。
【０００４】
図２１及び図２２に示す、一つ目の従来のウェビングの長さ調整装置は、調整プレート４０と可動部材５０を含み、該調整プレート４０と可動部材５０はいずれも金属材料からなる剛性部材であり、該調整プレート４０は、バックプレート４１と該調整プレート４０の両側から同じ方向に向かって折り曲がるように突出する二枚のサイドプレート４２を有し、該二枚のサイドプレート４２にはそれぞれ、傾斜状の長穴４２１が形成され、該可動部材５０は、移動可能に該調整プレート４０における二枚のサイドプレート４２の間に設置され、該可動部材５０の両端はそれぞれ前記長穴４２１に挿入される。
【０００５】
一つ目の従来のウェビングの長さ調整装置を、シートベルトシステムに適用する場合は、第１ウェビング２を、前記調整プレート４０に接続し、第２ウェビング３を、該調整プレート４０と可動部材５０との間に貫設するように挟持固定する。しかしながら、一つ目の従来のウェビングの長さ調整装置には、弾性機構を有しておらず、可動部材５０が自動復元機能を持たないことから、ウェビングの長さを調整する際、第２ウェビング３を緩めたり、締めたして手動で操作しなければないので、操作上非常に不便である。又、前記調整プレート４０は、金属板材を折り曲げて成形されることから、使用者が把持する上下両端の部位の面積が小さく、且つ該調整プレート４０の頂部における前記第１ウェビング２が貫通するように設置する箇所が、該第１ウェビング２の内側に位置するので、使用者が把持する際に、力が入りにくくて操作しにくい。その上、前記調整プレート４０と可動部材５０はいずれも、金属材料からなる剛性部材であり、シートベルトシステムに適用する場合、該剛性部材が体と直接に接触するので、使用者に不快感を与えてしまう。
【０００６】
図２３及び図２４に示す、二つ目の従来のウェビングの長さ調整装置は、一つ目の従来のウェビングの長さ調整装置の調整プレート４０と可動部材５０に基づいて、弾性体６０が増設され、該弾性体６０は、該調整プレート４０と元の位置に復元する弾力を有する可動部材５０との間に接続される。この構成によると、使用者は、ウェビングの長さを調整する際、二つ目の従来のウェビングの長さ調整装置をリリースした後、該弾性体６０によって押し戻された可動部材５０が元の位置に復元するこで、前記第２ウェビング３が自動的に挟持されることから、二つ目の従来のウェビングの長さ調整装置では、一つ目の従来のウェビングの長さ調整装置が弾性機構を有しておらず、可動部材が自動復元できないことによる操作の不便さを改善した。
【０００７】
しかしながら、二つ目の従来のウェビングの長さ調整装置においては、該当調整プレート４０が、金属板材を折り曲げて成形されているため、使用者が把持する上下両端の部位の面積が小さく、且つ該調整プレート４０の頂部における前記第１ウェビング２が貫通するように装着される箇所が、該第１ウェビング２の内側に位置するので、使用者が把持する際に、力が入りにくて操作しにくいとの問題を有し、それらに加え、該調整プレート４０と可動部材５０はいずれも、金属材料からなる剛性部材であるので、シートベルトシステムに適用した場合、剛性部材が直接に体と接触して、使用者に不快感を与えてしまう。
【０００８】
図２５及び図２６に示す三つ目の従来のウェビングの長さ調整装置は、その構成によると、プラスチックケース７０と、該プラスチックケース７０の内に装着され、相対的に移動可能な操作板８０及び可動板９０とを含む。また、該当ウェビングの長さ調整装置が、シートベルトシステムに適用する場合は、第１ウェビング２を、前記操作板８０に接続し、第２ウェビング３を、該プラスチックケース７０と操作板８０との間に貫設されるように挟持固定し、前記プラスチックケース７０内に、二本の棒状体７１、７２を横向きに対向するように設置し、該二本の棒状体７１、７２を、操作板８０における上部の通し穴８１に挿入し、これにより、該操作板８０が、下向きに該プラスチックケース７０内に押し込まれる時、該二本の棒状体７１、７２を弾性変形させ、その後、該操作板８０がリリースされた時、該二本の棒状体７１、７２の弾性によって、該操作板８０を復位させる。
【０００９】
三つ目の従来のウェビングの長さ調整装置について、前記操作板８０及び可動板９０の表側に設置されるプラスチックケース７０を、シートベルトシステムに適用する場合は、剛性部材の代わりに、プラスチックケース７０が直接に体と接触させることで、使用者に対して与える不快感を解消すると共に、該プラスチックケース７０内の二本の棒状体７１、７２の弾性によって、該操作板８０を復位させる。
【００１０】
しかしながら、前記プラスチックケース７０内の二本の棒状体７１、７２は、細長い構造であるので、操作する時、該二本の棒状体７１、７２が折れやすく、前記操作板８０を復位させる機能が発揮できない可能性が高い。又、三つ目の従来のウェビングの長さ調整装置により、ウェビングの長さを調整する際、使用者は、該プラスチックケース７０と操作板８０の上部を把持するが、該操作板８０は、金属板材を折り曲げて成形されていることから、使用者が把持する部位の面積が小さく、且つ該操作板８０及びその表側にあるプラスチックケース７０の頂部における前記第１ウェビング２が貫通するように装着される箇所はいずれも、該第１ウェビング２の内側に位置するので、使用者が把持する際に、力が入りにくく操作しにくいという問題を有する。
【００１１】
このように、上述した各種のウェビングの長さ調整装置の構造を見ると、従来のウェビングの長さ調整装置は、使用者が把持する部位の面積が小さく、力が入りにくい問題があった。又、一部の従来のウェビングの長さ調整装置（三つ目の従来のウェビングの長さ調整装置）においては、剛性部材が使用者の身体に接触する不快感を避けるためにプラスチック製のケースを有するが、プラスチック製のケースにおける弾力的な復元力をもたらす二本の棒状体が破損しやすいので、さらに改善する必要があった。
【発明の概要】
【発明が解決しようとする課題】
【００１２】
本発明は、従来のウェビングの長さ調整装置の操作の不便さや、把持する部位の面積が小さくて力が入りにくく、一部の従来のウェビングの長さ調整装置のプラスチック製のケースが破損しやすいといった問題を解決するためになされたのであり、その主な目的は、ウェビングの長さ調整装置の操作が簡単にでき、把持しやすくて力が入りやすく、丈夫なケースを持つ、ウェビングの長さ調整装置を提供することを目的としている。
【課題を解決するための手段】
【００１３】
本発明は、ウェビングの長さ調整装置であって、該ウェビングの長さ調整装置は、ハウジングケースと、調整ユニットと、弾性部材とを備え、前記ハウジングケースは、ケース壁と、該ケース壁の内部に形成され、上部に開口を有する縦向き案内溝とを含み、該ケース壁における縦向き案内溝の横方向に沿って対向する両側は、第１側板と第２側板であり、該縦向き案内溝の底部には溝底板を有し、該第１側板上には、該縦向き案内溝と連通する第１連通孔が形成され、該第２側板には、該縦向き案内溝と連通する第２連通孔を有し、前記調整ユニットは、前記ハウジングケース内に装着されると共に、操作部材と摺動部材とを含み、該操作部材は、移動可能に該ハウジングケースの縦向き案内溝内に装着され、該操作部材における縦向き案内溝に収納される区間に第１挿通孔が設けられ、該第１挿通孔の上方に第２挿通孔が設けられ、該操作部材におけるハウジングケースの上方にある領域に横向き押圧板部を有し、該横向き押圧板部が第２挿通孔の一側に位置し、該摺動部材は、前記操作部材の第１挿通孔に装着され、該摺動部材と操作部材は、ハウジングケースの内に装着され、且つ相対的に移動可能であり、前記弾性部材は、前記ハウジングケースの縦向き案内溝内に設置され、且つ前記溝底板と操作部材との間に位置することを特徴とする。
【発明の効果】
【００１４】
上述した本発明の技術手段によって、シートベルトシステム、或いは他の拘束機構に適用する場合は、第１ウェビングを操作部材に接続し、第２ウェビングを、ハウジングケースの内に装着される操作部材と接合している摺動部材に接続することで、ウェビングの長さを調整する機能を有するだけでなく、少なくとも以下のような効果を有する。
１、把持しやすくて力が入りやすく、操作がより簡単である：本発明のウェビングの長さ調整装置は、ハウジングケースの操作部材の頂部に横向きに曲がるように突出するよ横向き押圧板部を利用することで、ウェビングの長さを調整する過程中、使用者は、該操作部材の横向き押圧板部とハウジングケースの底部とを片手で把持して押圧することによって、挟持されているウェビングをリリースすることができる。この構成によれば、該横向き押圧板部によって大きな把持部位を確保できると共に、該横向き押圧板部によって力が入りやすいので、使用者は、本発明のウェビングの長さ調整装置を簡単にに操作することができる。
２、操作への妨げを減らす：上述したように、本発明のウェビングの長さ調節装置では、該調節装置における操作部材の横向き押圧板部が、第２挿通孔側に偏倚することで、操作部材がシートベルトシステムなどの第１ウェビングに接続されると、該横向き押圧板部が第１ウェビングの外側に位置することで、力が入りやすい把持部位を提供することができるので、使用者が該操作部材の横向き押圧板部とハウジングケースとを把持して相対的に押圧し合う際、第１ウェビングによる操作への妨げを減らすことができる。
３、ハウジングケースが破損しにくい：本発明のウェビングの長さ調節装置において、該ハウジングケースは、該調整ユニットに対して組み立ての基礎構造の役割を果たしながら、操作時に把持部位を保護し、さらに該ハウジングケース内に、該調整ユニットに対して復位させる弾力をもたらす弾性部材が独立に設置されているので、該ハウジングケースが破損及び損傷を受けにくい。
【００１５】
本発明に係るウェビングの長さ調節装置において、前記摺動部材は、薄い金属板を折り曲げて成形された外装部材をさらに含み、該外装部材は、前記摺動基板の基板部の外側に囲繞するように固定され、且つ該外装部材の両側端にそれぞれ、摺動連結部が形成されることから、該摺動基板が、前記操作部材の縦板部の一側に位置することができ、該摺動部材の二つの摺動連結部がそれぞれ、前記操作部材の第１貫通孔を通って該操作部材の一側に延伸し、又は、該二つの摺動連結部がそれぞれ、前記摺動基板の側面に形成される突起であり、該摺動部材の二つの突起状のような摺動連結部が、該操作部材の第１挿通孔に挿入される。上述したように、前述した摺動部材の構造によれば、コストの低減と生産性の向上を図ることができる。
【００１６】
本発明に係るウェビングの長さ調節装置においては、前記横向き押圧板部と上下に対向するように、前記ハウジングケースの底部に横凸部がさらに設けられ、このハウジングケースの底部に位置する横凸部によって、大きな把持部位を確保できると共に、該横向き押圧板部によって力が入りやすいので、使用者は、本発明のウェビングの長さ調整装置の操作を簡単に行うことができる。
【図面の簡単な説明】
【００１７】
【図１】第１の好適な実施形態の外観斜視図である。
【図２】図１に示した、第１の好適な実施形態の別の視野角度からの外観斜視図である。
【図３】図１及び図２に示した、第１の好適な実施形態の分解図である。
【図４】図１及び図２に示した、第１の好適な実施形態の別の視野角度からの分解図である。
【図５】図１及び図２に示した、第１の好適な実施形態において、ハウジングケースが接合されている状態を示す分解図である。
【図６】図３及び図４に示した、第１の好適な実施形態における摺動部材の外観斜視図である。
【図７】図３及び図４に示した、第１の好適な実施形態における摺動部材の別の視野角度からの外観斜視図である。
【図８】図１〜図４に示した、第１の好適な実施形態の平面図である。
【図９】図８内のＡ-Ａ線断面図である。
【図１０】第２の好適な実施形態の外観斜視図である。
【図１１】図１０に示した、第２の好適な実施形態における摺動部材の外観斜視図である。
【図１２】第３の好適な実施形態の外観斜視図である。
【図１３】図１２に示した、第３の好適な実施形態の別の視野角度からの外観斜視図である。
【図１４】図１２及び図１３に示した第３の好適な実施形態の分解図である。
【図１５】図１２及び図１３に示した第３の好適な実施形態の別の視野角度からの分解図である。
【図１６】図１４及び図１５に示した第３の好適な実施形態における操作部材の平面図である。
【図１７】図１６に示した第３の好適な実施形態における操作基板の平面図である。
【図１８】図１〜図４に示した第１の好適な実施形態における第１ウェビングと第２ウェビングが挿通した状態を示す断面図である。
【図１９】図１２〜図１５に示した第１の好適な実施形態における第１ウェビングと第２ウェビングが挿通した状態を示す断面図である。
【図２０】第１の好適な実施形態におけるウェビングの長さを調整する状態の模式断面図である。
【図２１】一つ目の従来のウェビングの長さ調整装置の平面図である。
【図２２】図２１に示した第１ウェビングと第２ウェビングが挿通した状態を示す図２１内のＢ-Ｂ断面図である。
【図２３】二つ目の従来のウェビングの長さ調整装置の平面図である。
【図２４】第１ウェビングと第２ウェビングが挿通した状態を示す図２３内のＣ-Ｃ断面図である。
【図２５】三つ目の従来のウェビングの長さ調整装置の平面図である。
【図２６】第１ウェビングと第２ウェビングが挿通した状態を示す図２５内のＤ-Ｄ断面図である。
【発明を実施するための形態】
【００１８】
図１、図１０及び図１２は、本発明のウェビングの長さ調整装置に係る複数の好適な実施形態であり、図面からも分かるように、各好適な実施形態における本発明のウェビングの長さ調整装置１、１Ａ、１Ｂはいずれも、ハウジングケース１０、１０Ｂと、調整ユニット２０、２０Ａ、２０Ｂと、弾性部材３０とを備える。
【００１９】
図１〜図４、図１０、及び図１２、図１３に示すように、前記ハウジングケース１０、１０Ｂは、プラスチックやゴム、シリコーンなどの材料を成形してなると共に、ケース壁１１、１１Ｂを含み、該ケース壁１１、１１Ｂの内部に、上部に開口を有する縦向き案内溝１２、１２Ｂが形成されると共に、該縦向き案内溝１２、１２Ｂの底部に溝底板１３、１３Ｂを有し、即ち、該縦向き案内溝１２、１２Ｂは、該ケース壁１１、１１Ｂの頂部から縦向きに延伸する。前記ケース壁１１、１１Ｂにおける、縦向き案内溝１２、１２Ｂの横方向に沿って対向する両側は、第１側板１４、１４Ｂと第２側板１５、１５Ｂであり、該第１側板１４、１４Ｂ内には、該縦向き案内溝１２、１２Ｂと連通する第１連通孔１４１、１４１Ｂが形成され、該第２側板１５、１５Ｂには、該縦向き案内溝１２、１２Ｂと連通する第２連通孔１５１、１５１Ｂを有し、更に、該第１側板１４、１４Ｂにおける、前記縦向き案内溝１２、１２Ｂに面する裏側の、前記第１連通孔１４１、１４１Ｂの両側端に対応する箇所に規制溝１４２がそれぞれ形成される。
【００２０】
図１２に示すように、前記ハウジングケース１０Ｂは、前記第１側板１４Ｂの底部に横向きに突出するように形成される横凸部１６を有し、該横凸部１６によって、使用者に大きな把持部位を提供している。
【００２１】
図１〜図４に示す、第１の好適な実施形態、及び図１０に示す、第２の好適な実施形態において、前記ハウジングケース１０は、ケース本体１０１とケースカバー１０２とを備え、該ケース本体１０１とケースカバー１０２は、高周波誘導加熱溶接、接着剤、又は固定部材によって接合され、そのうち、ケース本体１０１は、第１側板１４を有し、該ケースカバー１０２は、第２側板１５を有し、前記第２連通孔１５１が、該第２側板１５の頂部から縦向きに延伸し、即ち、該第２連通孔１５１が、上向きに開放状態となっており、また、図４及び図８に示すように、前記ハウジングケース１０のケース壁１１内における溝底板１３には、凹部１３１を有し、該凹部１３１の両側端にそれぞれ位置する支持部１３２が形成される。
【００２２】
図１４、図１５に示す、第３の好適な実施形態において、前記ハウジングケース１０Ｂは、第１外殻１０３と第２外殻１０４とを備え、該第１外殻１０３と第２外殻１０４は、高周波誘導加熱溶接、接着剤、又は固定部材によって接合され、前記第１連通孔１４１Ｂを有する第１側板１４Ｂは、該第１外殻１０３に位置し、前記第２連通孔１５１Ｂを有する第２側板１５Ｂは、該第２外殻１０４に位置し、該第２連通孔１５１Ｂは、該第２側板１５Ｂの中間部に形成される。
【００２３】
図１〜図４、図８〜図１０、図１８及び図１２〜図１５、図１９に示すように、前記調整ユニット２０、２０Ａ、２０Ｂは、前記ハウジングケース１０、１０Ｂのケース壁１１内に装着されると共に、該ハウジングケース１０、１０Ｂに対して相対的に移動でき、該調整ユニット２０、２０Ａ、２０Ｂは、操作部材２１、２１Ｂと摺動部材２２、２２Ａを含み、該摺動部材２２、２２Ａは、該操作部材２１、２１Ｂに接続され、且つ該ハウジングケース１０、１０Ｂ内において相対的に移動できる。
【００２４】
図１〜図４、図８〜図１０、図１８及び図１２〜図１５、に示すように、第１の好適な実施形態及び第２の好適な実施形態において、前記調整ユニット２０、２０Ａの操作部材２１は、金属などの剛性材料によって一体成型された単体部品であり、縦板部２１１と横向き押圧板部２１２とを含み、そのうち、縦板部２１１は、第１挿通孔２１３と該第１挿通孔２１３の上方に位置する第２挿通孔２１４を有し、移動可能に前記ハウジングケース１０の縦向き案内溝１２内に装着されると共に、該ハウジングケース１０の頂部から外側に突出する。更に、前記操作部材２１は、該ハウジングケース１０に対して縦向きに相対的に移動でき、前記横向き押圧板部２１２は、該縦板部２１１の頂部から横向きに曲がるように突出し、前記第１挿通孔２１３と第２挿通孔２１４側に偏倚して、該ハウジングケース１０の第１側板１４の上方に位置し、該第２挿通孔２１４は、該縦板部２１１と横向き押圧板部２１２と隣接する箇所に設けられる。尚、前記ハウジングケース１０における第１側板１４の底部に、外向きに突出する横凸部が増設された場合、前記横向き押圧板部２１２は、該横凸部と上下に対向している。
【００２５】
図３〜図７及び図９に示す、第１の好適な実施形態、及び図１０〜図１１に示す、第２の好適な実施形態において、前記摺動部材２２、２２Ａは、前記操作部材２１の第１挿通孔２１３に装着されると共に、該操作部材２１に対して相対的に移動することができ、且つ前記ハウジングケース１０に対して縦向きに相対的に移動することができる。更に、前記摺動部材２２、２２Ａは、該操作部材２１に装着されると共に、摺動基板２２１と摺動基板２２１の両側端にそれぞれ、形成される二つの摺動連結部２２３、２２４を含み、そのうち、摺動基板２２１は、該操作部材２１の縦板部２１１の一側、且つ前記横向き押圧板部２１２の下方に位置し、該摺動部材２２、２２Ａの二つの摺動連結部２２３、２２４はそれぞれ、該操作部材２１の第１挿通孔２１３に挿入され、該摺動部材２２、２２Ａの摺動基板２２１が、該ハウジングケース１０の第１側板１４の第１連通孔１４１内に位置することで、該摺動部材２２、２２Ａが該操作部材２１内において縦向きに移動可能となる。
【００２６】
図３〜図７及び図９に示す、第１の好適な実施形態、及び図１０〜図１１に示す、第２の好適な実施形態において、該摺動部材２２、２２Ａの摺動基板２２１は、基板部２２１１と該基板部２２１１の両側端に上向きに突出するように形成される二つの側板部２２１２とを含み、該二つの側板部２２１２はそれぞれ、前記ハウジングケース１０の第１連通孔１４１の両側端の規制溝１４２に挿入され、該規制溝１４２によって該摺動部材２２の縦向きの移動距離を規制する。
【００２７】
図３〜図７及び図９に示す、第１の好適な実施形態において、前記摺動部材２２は、該外装部材２２２が前記摺動基板２２１の基板部２２１１の外側に囲繞するように固定され、薄い金属板を折り曲げて成形された外装部材２２２をさらに含み、該外装部材２２２の両側端にそれぞれ前記摺動連結部２２３が形成され、該二つの摺動連結部２２３はそれぞれ、前記操作部材２１の第１挿通孔２１３を通して該縦板部２１１の一側に延伸し、該摺動部材２２は、該操作部材２１に対して相対的に移動することができる。
【００２８】
図１０及び図１１に示す、第２の好適な実施形態において、前記摺動部材２２Ａの二つの摺動連結部２２４はそれぞれ、前記摺動基板２２１の基板部２２１１の側面に形成される両突起であり、該二つの摺動連結部２２４は、前記操作部材２１に対して相対的に移動することができる。
【００２９】
図１２及び図１７に示す、第３の好適な実施形態において、前記調整ユニット２０Ｂの操作部材２１Ｂは、縦板部２１１Ｂと外装ケース２１０Ｂを含み、該縦板部２１１Ｂは、金属などの剛性材料によりなる部材であり、該外装ケース２１０Ｂは、プラスチックなどの可塑性材料により形成され、且つ該縦板部２１１Ｂの上部を覆い包むと共に、第１挿通孔２１３Ｂを有し、更に、第１挿通孔２１３Ｂに対する上方に第２挿通孔２１４Ｂが設けられると共に、横向き押圧板部２１２Ｂが形成され、該横向き押圧板部２１２Ｂは、第２挿通孔２１４Ｂと隣接する箇所に位置し、前記操作部材２１Ｂの縦板部２１１Ｂの下部が移動可能に前記ハウジングケース１０の縦向き案内溝１２Ｂ内に装着され、該操作部材２１Ｂにおける外装ケース２１０Ｂに覆い包まれる縦板部２１１Ｂの上部は、該ハウジングケース１０Ｂの頂部から突出し、該横向き押圧板部２１２Ｂは、該ハウジングケース１０Ｂの第１側板１４Ｂの上方に位置する。尚、前記ハウジングケース１０Ｂの第１側板１４Ｂの底部に外向きに突出する横凸部１６が増設された場合、前記横向き押圧板部２１２が該横凸部１６と上下に対向する。
【００３０】
図１２〜図１５に示す、第３の好適な実施形態における調整ユニット２０Ｂの摺動部材２２は、図１〜図７に示す第１の好適な実施形態における摺動部材２２と同じものであり、図１０及び図１１に示す、摺動部材２２Ａと交換することもできる。尚、図１２〜図１５に示す第３の好適な実施形態における摺動部材２２の具体的な構造の説明は、省略する。また、前記摺動部材２２は同じように、該操作部材２１Ｂの第１挿通孔２１３Ｂに装着され、且つ該摺動部材２２は、該操作部材２１Ｂに対して相対的に移動することができる。
【００３１】
図１２〜図１７に示す、第３の好適な実施形態において、前記操作部材２１Ｂの縦板部２１１Ｂにおける第１挿通孔２１３Ｂと第２挿通孔２１４Ｂとの間には、中間通孔２１５が形成され、前記ハウジングケース１０Ｂの頂部に、該中間通孔２１５を通すように形成される規制凸部１７を有し、該規制凸部１７によって、該操作部材２１Ｂとハウジングケース１０Ｂとの間の相対的な移動距離を規制する。
【００３２】
図３〜図４、図８〜図９、及び図１４〜図１５、図１９に示す、各好適な実施形態において、前記弾性部材３０は、バネや、板バネなどの弾性材料であってもよく、該弾性部材３０は、前記ハウジングケース１０、１０Ｂの縦向き案内溝１２内に装着され、且つ前記溝底板１３と操作部材２１との間に位置することで、該操作部材２１が復位するための弾力をもたらす。
【００３３】
本発明に係る各好適な実施形態においては、前記弾性部材３０が弾性片であり、該弾性部材３０は、上向きに盛り上がった円弧状（即ち、中央部が両側より高い）の弾性基部３１と該弾性基部３１の両側端に位置する端部３２とを含むと共に、前記ハウジングケース１０、１０Ｂの縦向き案内溝１２の内に装着され、該弾性基部３１の中央における盛り上がっている部分が、前記操作部材２１、２１Ｂの縦板部２１１、２１１Ｂの底面中央に当接することで、該操作部材２１、２１Ｂを復位させる弾力をもたらす。
【００３４】
図４に示す第１の好適な実施形態において、前記ハウジングケース１０の溝底板１３に、凹部１３１と該凹部１３１の両側端にそれぞれ位置する支持部１３２が形成された場合、前記弾性部材３０の両側端の端部３２は、該溝底板１３の支持部１３２に当接する。
【００３５】
図１、図２に示す第１の好適な実施形態は、本発明に係るウェビングの長さ調整装置１をシートベルトシステムに適用した一例であり、その仕組みは、図１８に示すように、該シートベルトシステムの第１ウェビング２を、該調整ユニット２０の操作部材２１の第１挿通孔２１３と第２挿通孔２１４に挿通させることで、該第１ウェビング２を該操作部材２１に接続し、該シートベルトシステムの第２ウェビング３を、該ハウジングケース１０の第２側板１５の外側から、該第２側板１５の第２連通孔１５１及び操作部材２１の第１挿通孔２１３へ通した後、下から上に向って該摺動部材２２の摺動基板２２１を回して、該操作部材２１の第１挿通孔２１３及び該第２側板１５の第２連通孔１５１を逆方向から挿通させ、また、該弾性部材３０により該調整ユニット２０の操作部材２１を上向きに付勢することで、該第２ウェビング３を、該操作部材２１と該ハウジングケース１０内の摺動部材２２との間に挟持固定する。
【００３６】
図１２、図１３に示す第３の好適な実施形態は、本発明に係るウェビングの長さ調整装置１Ｂのをシートベルトシステムに適用した一例であり、その仕組みは、図１９に示すように、該シートベルトシステムの第１ウェビング２を、該調整ユニット２０Ｂの操作部材２１Ｂの第２挿通孔２１４Ｂに挿通させることで、該第１ウェビング２を該操作部材２１Ｂの上部に接続し、該シートベルトシステムの第２ウェビング３を、該ハウジングケース１０Ｂの第２側板１５Ｂの外側から、該第２側板１５Ｂの第２連通孔１５１Ｂ及び操作部材２１Ｂの第１挿通孔２１３Ｂへ通した後、下から上に向って該摺動部材２２の摺動基板２２１を回して、該操作部材２１Ｂの第１挿通孔２１３Ｂ及び該第２側板１５Ｂの第２連通孔１５１Ｂを逆方向から挿通させ、また、該弾性部材３０により該調整ユニット２０Ｂの操作部材２１Ｂを上向きに付勢することで、該第２ウェビング３を、該操作部材２１Ｂと該ハウジングケース１０Ｂ内の摺動部材２２との間に挟持固定する。
【００３７】
図１８、図１９に示すように、本発明に係るウェビングの長さ調整装置１を使って、第２ウェビング３を挟持固定させたい場合には、該操作部材２１を把持せずに、片手で該第２ウェビング３を引っ張ることで、第２ウェビング３に生じた張力及び第２ウェビング３と操作部材２１、摺動部材２２との間に発生した摩擦力により、第２ウェビング３を、該操作部材２１とハウジングケース１０内における移動が規制された摺動部材２２との相対的な挟持作用で固定することができる。
【００３８】
使用者が、第２ウェビング３の長さを調整したい場合、図１、図２に示す本発明に係るウェビングの長さ調整装置１を例とすると、図２０に示すように、まず、使用者は、片手で前記操作部材２１の頂部の横向き押圧板部２１２とハウジングケース１０の底部とを把持して共に押圧し、該横向き押圧板部２１２による力が入りやすい把持部位により、簡単に操作部材２１とハウジングケース１０とを相対的に動かし、操作部材２１とハウジングケース１０の溝底板１３との間に位置する弾性部材３０を押圧して弾性変形させ、これによって、該操作部材２１と摺動部材２２との間に挟持固定された第２ウェビング３をリリースする。この時、使用者は、もう一方の手で該第２ウェビング３の長さを調整することができ、調整後、本発明に係るウェビングの長さ調整装置１を放し、該弾性部材３０による弾性による復元力で、該操作部材２１とハウジングケース１０内における移動が規制された摺動部材２２との相対的な挟持作用で、該第２ウェビング３を固定して、ウェビングの長さの調整が完了する。
【００３９】
上述したように、本発明に係るウェビングの長さ調整装置においては、ウェビングの長さを調整する時、ハウジングケース内に装着される操作部材の頂部に成形された横向きに曲がるように突出する横向き押圧板部を利用することで、使用者は、片手で該操作部材の横向き押圧板部とハウジングケースの底板を把持して共に押圧して、挟持されたウェビングをリリースし、該横向き押圧板部による力が入りやすい把持部位により、簡単に該ウェビングの長さ調整装置を操作することができ、且つ該操作部材が第１ウェビング２に接続されることで、該横向き押圧板部が該第１ウェビングの外側に位置しているので、使用者は、該操作部材の横向き横押圧部とハウジングケースとを把持して共に押圧する時に、第１ウェビングによる操作の妨げを低減させることができる。また、本発明に係るウェビング長さ調整装置において、該ハウジングケースは、該調整ユニットに対して組み立ての基礎構造の役割を果たしながら、操作時には把持部位を保護し、さらに該ハウジングケース内に、該調整ユニットに対して復位させる弾力をもたらす弾性部材が独立に設置されているので、該ハウジングケースが破損及び損傷しにくい。
【符号の説明】
【００４０】
１、１Ａ、１Ｂ ウェビングの長さ調整装置
２ 第１ウェビング
３    第２ウェビング
１０、１０Ｂ  ハウジングケース
１０１   ケース本体
１０２   ケースカバー
１０３   第１外殻
１０４   第２外殻
１１、１１Ｂ  ケース壁
１２、１２Ｂ  縦向き案内溝
１３、１３Ｂ  溝底板
１３１   凹部
１３２   支持部
１４、１４Ｂ  第１側板
１４１、１４１Ｂ  第１連通孔
１４２   規制溝
１５、１５Ｂ  第２側板
１５１、１５１Ｂ  第２連通孔
１６    横凸部
１７    規制凸部
２０、２０Ａ、２０Ｂ 調整ユニット
２１、２１Ｂ  操作部材
２１０Ｂ   外装ケース
２１１、２１１Ｂ  縦板部
２１２、２１２Ｂ  横向き押圧板部
２１３、２１３Ｂ  第１挿通孔
２１４、２１４Ｂ  第２挿通孔
２１５   中間通孔
２２、２２Ａ  摺動部材
２２１   摺動基板
２２１１   基板部
２２１２   側板部
２２２   外装部材
２２３、２２４  摺動連結部
３０    弾性部材
３１    弾性基部
３２    端部
４０    調整プレート
４１    バックプレート
４２    サイドプレート
４２１   長穴
５０    可動部材
６０    弾性体
７０    プラスチックケース
７１、７２   棒状体
８０    操作板
８１    通し穴
９０    可動板
【図１】
2020147277.tif 000003
【図２】
2020147277.tif 000004
【図３】
2020147277.tif 000005
【図４】
2020147277.tif 000006
【図５】
2020147277.tif 000007
【図６】
2020147277.tif 000008
【図７】
2020147277.tif 000009
【図８】
2020147277.tif 000010
【図９】
2020147277.tif 000011
【図１０】
2020147277.tif 000012
【図１１】
2020147277.tif 000013
【図１２】
2020147277.tif 000014
【図１３】
2020147277.tif 000015
【図１４】
2020147277.tif 000016
【図１５】
2020147277.tif 000017
【図１６】
2020147277.tif 000018
【図１７】
2020147277.tif 000019
【図１８】
2020147277.tif 000020
【図１９】
2020147277.tif 000021
【図２０】
2020147277.tif 000022
【図２１】
2020147277.tif 000023
【図２２】
2020147277.tif 000024
【図２３】
2020147277.tif 000025
【図２４】
2020147277.tif 000026
【図２５】
2020147277.tif 000027
【図２６】
2020147277.tif 000028